【事件の表示】
　特願２０１３−１０５４２７「遊技機」拒絶査定不服審判事件〔平成２６年１２月　８日出願公開、特開２０１４−２２６１５９〕について、次のとおり審決する。
【結　論】
　本件審判の請求は、成り立たない。
【理　由】
第１　手続の経緯
　本願は、平成２５年５月１７日の出願であって、平成２７年１月２９日付けで拒絶理由が通知され、同年４月２日付けで意見書が提出されるとともに手続補正がなされ、同年８月２８日付けで最後の拒絶理由が通知され、同年１０月２０日付けで意見書が提出されるとともに手続補正がなされたが、同年１１月３０日付けで同年１０月２０日付けの手続補正を却下する決定がなされるとともに拒絶査定がなされたのに対し、平成２８年３月１４日に拒絶査定不服審判が請求され、それと同時に手続補正がなされたものである。
　
第２　平成２８年３月１４日付けの手続補正についての補正却下の決定
［補正却下の決定の結論］
　平成２８年３月１４日付けの手続補正（以下、「本件補正」という。）を却下する。
　
［理由］　
１　本件補正の内容
　平成２７年１０月２０日付けの手続補正は既に却下されている。そして、本件補正は特許請求の範囲の請求項１の記載を含む補正であり、特許請求の範囲の請求項１は、補正前（平成２７年４月２日付け手続補正）の
「所定の開始条件の成立により、内部抽選を行うとともに図柄の変動表示を開始させ、所定の停止条件の成立により、前記図柄の変動の停止制御を行って所定の図柄の組み合わせが停止表示された場合に、遊技利益を付与する遊技機において、
　複数の前記図柄が描かれた円環状のリールと、
　前記リールを回転させる駆動装置と、
　前記リールおよび前記駆動装置を収納するリールケースと、
　を備え、
　前記リールケースは、前記リールの一方を表出させ、前記リールの他方を覆う壁面の前記リールと対向する位置に、前記リールに描かれた前記図柄を視認可能とする開口部が形成されていることを特徴とする遊技機。」から、
補正後の
「所定の開始条件の成立により、内部抽選を行うとともに図柄の変動表示を開始させ、所定の停止条件の成立により、前記図柄の変動の停止制御を行って所定の図柄の組み合わせが停止表示された場合に、遊技利益を付与する遊技機において、
　複数の前記図柄が描かれた円環状のリールと、
　前記リールを回転させる駆動装置と、
　
一部が前記駆動装置の近傍に設けられた導体板と、
　前記リールおよび前記駆動装置を収納するリールケースと、
　を備え、
　
前記導体板は、複数の前記リールのそれぞれに対応して、前記リールの一方の側面側に設けられ、
　前記リールケースは、前記リールの一方を表出させ、前記リールの他方を覆う壁面の前記リールと対向する位置に、
それぞれ
程度に大きな
一つの前記リールに対して二つずつそれぞれ
　ことを特徴とする遊技機。」
へ補正された（下線は補正箇所を示す。）。
２　本件補正の目的
　本件補正は、補正前の請求項１に対して、以下のように補正することを含むものである。
（ａ）「一部が前記駆動装置の近傍に設けられた導体板」を発明特定事項として付加する補正
（ｂ）「導体板」について「複数の前記リールのそれぞれに対応して、前記リールの一方の側面側に設けられ」ていることを付加する補正
（ｃ）「リールケース」に「形成されている」「前記リールに描かれた前記図柄を視認可能とする開口部」について、「それぞれ前記リールに描かれた前記図柄を視認可能とする程度に大きな」もので「一つの前記リールに対して二つずつそれぞれ形成されている」ものであることを付加する補正
　前記（ａ）に係る補正は、請求項１における「遊技機」の構成として、補正前の「駆動装置」に関連付けて新たに「導体板」を付加して限定するものであるから、補正前の請求項１に記載された発明を特定するために必要な事項を限定するものである。
　また、前記（ｂ）に係る補正は、前記（ａ）に係る補正で「遊技機」の構成として付加される「導体板」について、さらに「複数の前記リールのそれぞれに対応して、前記リールの一方の側面側に設けられ」ていることを付加して「遊技機」の構成を限定するものであるから、補正前の請求項１に記載された発明を特定するために必要な事項を限定するものである。
　前記（ｃ）に係る補正は、請求項１における「開口部」の構成として、「それぞれ前記リールに描かれた前記図柄を視認可能とする程度に大きな」もので「一つの前記リールに対して二つずつそれぞれ形成されている」ものであることを付加して限定するものであるから、補正前の請求項１に記載された発明を特定するために必要な事項を限定するものである。
　以上より、本件補正は、請求項１に記載した発明を特定するために必要な事項を限定するものであって、その補正前の請求項１に記載された発明とその補正後の請求項１に記載される発明の産業上の利用分野及び解決しようとする課題が同一であるので、特許法第１７条の２第５項第２号の特許請求の範囲の減縮を目的するものに該当するものといえる。
　そして、本件補正は新規事項を追加するものではない。
３　独立特許要件
　そこで、本件補正後の請求項１に係る発明（以下、「補正発明」という。）が、特許法第１７条の２第６項において準用する同法第１２６条第７項の規定に適合するか、すなわち、本件の特許出願の際に独立して特許を受けることができるものであるかについて以下に検討する。
　
（１）刊行物の記載事項
ア　原査定の拒絶の理由に引用された本願出願前に頒布された刊行物である特開２００６−０６１２５４号公報（以下、「刊行物１」という。）には、図面の図示と共に、次の事項が記載されている（下線は当審で付した。）。
　
（ア）「【００２２】
　…実施例の
スロット機２０
【００２３】
　前面扉２２には、図１，２に示すように、上部に設けられた演出ランプ２３ａ〜２３ｃと、遊技の進行に伴って効果音などを発するスピーカ２４ａ，２４ｂと、略中央に配置され内側で回転・停止するリール２５Ｌ，２５Ｃ，２５Ｒを表示する表示窓２６と、表示窓２６の両側に配置されベット数に応じて有効ラインを示すベットランプ２７ａ，２７ｂと、１ベットボタンや清算ボタンなどの各種ボタンを有すると共に賞球数やゲーム数などを表示する操作パネル２８と、操作パネル２８の下方に設けられ上受け皿２９ａの前面を覆う上受け皿カバー２９と、上受け皿カバー２９の左部に設けられ最大ベット数（実施例では、３ベット）をベットするＭＡＸベットボタン３０と、上受け皿カバー２９の前面に設けられ回転するリール２５Ｌ，２５Ｃ，２５Ｒの停止を指示するストップボタン３１Ｌ，３１Ｃ，３１Ｒと、上受け皿カバー２９の左下に設けられたスタートレバー３２とを備え、
操作パネル２８の１ベットボタンやＭＡＸベットボタン３０が押されると上受け皿２９ａに貯留されている遊技球がベット数に応じて所定数（実施例では、５個／１ベット）取り込まれ、スタートレバー３２が操作されるとリール２５Ｌ，２５Ｃ，２５Ｒが回転し、ストップボタン３１Ｌ，３１Ｃ，３１Ｒの押下に伴って各リール２５Ｌ，２５Ｃ，２５Ｒが停止して、その停止図柄に応じて賞球を払い出したりビッグボーナスやレギュラーボーナスなどの特別遊技を開始したりする
　
（イ）「【００２５】
  スロット機２０は、機能的には図４に示すように、メイン制御基板４０を中心として構成されている。メイン制御基板４０は、図示しないＣＰＵを中心とするマイクロコンピュータとして構成されており、操作パネル２８の１ベットボタンやＭＡＸベットボタン３０に連動するベットスイッチ４１からの入力信号に応じて上受け皿２９ａから遊技球を取り込む取込装置４２に対して駆動信号を出力し、スタートレバー３２に連動するスタートスイッチ４３やストップボタン３１Ｌ，３１Ｃ，３１Ｒに連動するストップスイッチ４４Ｌ，４４Ｃ，４４Ｒからの入力信号などに応じて
リール２５Ｌ，２５Ｃ，２５Ｒの各々に取り付けられているリールモータ４５Ｌ，４５Ｃ，４５Ｒ
（ウ）「【００２８】
　図７は、リールユニット９０の外観を示す斜視図である。リールユニット９０は、図示するように、
円筒状のリール２５Ｌ，２５Ｃ，２５Ｒ
各リール２５を収納するリールケース９１
リールケース９１は、片側に開口部を有する略箱型形状に形成され、開口部の反対側（背面側）
各リール２５に配列された図柄
（エ）図７はリールユニット９０の外観を示す斜視図であって、同図から、
リールケース９１は、開口部の反対側（背面側）の中部に、各リール２５Ｌ，２５Ｃ，２５Ｒに配列された図柄を視認可能とする程度に大きな開口部が一つの前記リールに対して一つずつそれぞれ形成され、また、上面側に、リール２５Ｒに配列された図柄を視認可能とする程度に大きな二つの開口部が形成され、さらに、側面側に、リール２５Ｒを視認可能とする複数の開口部が形成されている
　
　上記の記載事項（ア）〜（エ）から、刊行物１には、以下の発明が記載されていると認められる。
　
「操作パネル２８の１ベットボタンやＭＡＸベットボタン３０が押されると上受け皿２９ａに貯留されている遊技球がベット数に応じて所定数（実施例では、５個／１ベット）取り込まれ、スタートレバー３２が操作されるとリール２５Ｌ，２５Ｃ，２５Ｒが回転し、ストップボタン３１Ｌ，３１Ｃ，３１Ｒの押下に伴って各リール２５Ｌ，２５Ｃ，２５Ｒが停止して、その停止図柄に応じて賞球を払い出したりビッグボーナスやレギュラーボーナスなどの特別遊技を開始したりするスロット機２０において、
　リール２５Ｌ，２５Ｃ，２５Ｒの各々に取り付けられているリールモータ４５Ｌ，４５Ｃ，４５Ｒと、
　円筒状のリール２５Ｌ，２５Ｃ，２５Ｒと、
　各リール２５を収納するリールケース９１と、
　各リール２５に配列された図柄と、
　を備え、
　リールケース９１は、片側に開口部を有する略箱型形状に形成され、開口部の反対側（背面側）の中部に、各リール２５Ｌ，２５Ｃ，２５Ｒに配列された図柄を視認可能とする程度に大きな開口部が一つの前記リールに対して一つずつそれぞれ形成され、また、上面側に、リール２５Ｒに配列された図柄を視認可能とする程度に大きな二つの開口部が形成され、さらに、側面側に、リール２５Ｒを視認可能とする複数の開口部が形成されている
　スロット機２０。」（以下、「引用発明」という。）
　
イ　本願出願前に頒布された刊行物である特開２００９−１１２４２６号公報（以下、「刊行物２」という。）には、図面の図示と共に、次の事項が記載されている（下線は当審で付した。）。
「【００５６】
〔実施例の作用〕
  次に、前述した実施例に係るドラム式図柄表示装置２０の作用に付き説明する。
前記ドラム式図柄表示装置２０に設けられる各図柄表示ユニット２１は、
ベース板金２７に駆動モータ３１が取り付けられることで、ベース板金２７が所謂ヒートシンクとして機能し、該駆動モータ３１の過熱を防止することができる
（２）補正発明と引用発明との対比
ア　引用発明の「操作パネル２８の１ベットボタンやＭＡＸベットボタン３０が押されると上受け皿２９ａに貯留されている遊技球がベット数に応じて所定数（実施例では、５個／１ベット）取り込まれ、スタートレバー３２が操作される」ことは、補正発明の「所定の開始条件の成立」に相当する。
　また、「図柄」が「配列された」「リール２５Ｌ，２５Ｃ，２５Ｒが回転」することが、補正発明の「図柄の変動表示を開始させ」ることに相当する。
　そして、引用発明の「ストップボタン３１Ｌ，３１Ｃ，３１Ｒの押下」は、補正発明の「所定の停止条件の成立」に相当する。
　さらに、引用発明は「停止図柄に応じて賞球を払い出したりビッグボーナスやレギュラーボーナスなどの特別遊技を開始したりするスロット機２０」であるから、補正発明のように「内部抽選を行」い、その抽選結果に応じて「図柄の変動の停止制御を行」うものであることは技術常識から明らかである。
　また、引用発明の「各リール２５Ｌ，２５Ｃ，２５Ｒが停止して、その停止図柄に応じて賞球を払い出したりビッグボーナスやレギュラーボーナスなどの特別遊技を開始したりするスロット機２０」は、補正発明の「所定の図柄の組み合わせが停止表示された場合に、遊技利益を付与する遊技機」に相当する。
　以上より、引用発明の「操作パネル２８の１ベットボタンやＭＡＸベットボタン３０が押されると上受け皿２９ａに貯留されている遊技球がベット数に応じて所定数（実施例では、５個／１ベット）取り込まれ、スタートレバー３２が操作されるとリール２５Ｌ，２５Ｃ，２５Ｒが回転し、ストップボタン３１Ｌ，３１Ｃ，３１Ｒの押下に伴って各リール２５Ｌ，２５Ｃ，２５Ｒが停止して、その停止図柄に応じて賞球を払い出したりビッグボーナスやレギュラーボーナスなどの特別遊技を開始したりするスロット機２０」は、補正発明の「所定の開始条件の成立により、内部抽選を行うとともに図柄の変動表示を開始させ、所定の停止条件の成立により、前記図柄の変動の停止制御を行って所定の図柄の組み合わせが停止表示された場合に、遊技利益を付与する遊技機」に相当するといえる。
イ　引用発明の「各リール２５に配列された図柄」が複数の図柄であることは自明であるから、引用発明の「図柄」が「配列された」「円筒状のリール２５Ｌ，２５Ｃ，２５Ｒ」は、補正発明の「複数の前記図柄が描かれた円環状のリール」に相当する。
　
ウ　引用発明の「リール２５Ｌ，２５Ｃ，２５Ｒの各々に取り付けられているリールモータ４５Ｌ，４５Ｃ，４５Ｒ」は、「リール２５Ｌ，２５Ｃ，２５Ｒ」を回転させるものであることは明らかである。
　また、リールモータはリールケースに収納されるのが一般的であり、刊行物１の段落【０００４】の「リール…をコンパクトに配置する」という記載や、図７のリールユニットの外観からリールケースの外側にリールモータが取り付けられていないことからも、「リール２５Ｌ，２５Ｃ，２５Ｒの各々に取り付けられているリールモータ４５Ｌ，４５Ｃ，４５Ｒ」はリールケースに収納されているものと解される。
　以上より、引用発明の「各リール２５を収納するリールケース９１」は、補正発明の「前記リールおよび前記駆動装置を収納するリールケース」に相当するといえる。
　
オ　引用発明の「リールケース９１は、片側に開口部を有する略箱型形状に形成され、開口部の反対側（背面側）の中部に、各リール２５Ｌ，２５Ｃ，２５Ｒに配列された図柄を視認可能とする程度に大きな開口部が一つの前記リールに対して一つずつそれぞれ形成され」「ている」ことと、補正発明の「前記リールケースは、前記リールの一方を表出させ、前記リールの他方を覆う壁面の前記リールと対向する位置に、それぞれ前記リールに描かれた前記図柄を視認可能とする程度に大きな開口部が一つの前記リールに対して二つずつそれぞれ形成されている」こととは、「前記リールケースは、前記リールの一方を表出させ、前記リールの他方を覆う壁面の前記リールと対向する位置に、それぞれ前記リールに描かれた前記図柄を視認可能とする程度に大きな開口部が少なくとも一つの前記リールに対してそれぞれ形成されている」点で共通する。
　そうすると、両者は
「所定の開始条件の成立により、内部抽選を行うとともに図柄の変動表示を開始させ、所定の停止条件の成立により、前記図柄の変動の停止制御を行って所定の図柄の組み合わせが停止表示された場合に、遊技利益を付与する遊技機において、
　複数の前記図柄が描かれた円環状のリールと、
　前記リールを回転させる駆動装置と、
　前記リールおよび前記駆動装置を収納するリールケースと、
　を備え、
　前記リールケースは、前記リールの一方を表出させ、前記リールの他方を覆う壁面の前記リールと対向する位置に、それぞれ前記リールに描かれた前記図柄を視認可能とする程度に大きな開口部が一つの前記リールに対してそれぞれ形成されている
　遊技機。」
の点で一致し、以下の点で相違する。
　
（相違点１）
　補正発明では「一部が前記駆動装置の近傍に設けられた導体板」であって「複数の前記リールのそれぞれに対応して、前記リールの一方の側面側に設けられ」た「導体板」を備えているのに対し、引用発明ではそのような特定がされていない点。
（相違点２）
　リールケースにおいて、リールの他方を覆う壁面のリールと対向する位置に、一つのリールに対してそれぞれ形成されている、それぞれリールに描かれた図柄を視認可能とする程度に大きな開口部が、補正発明では「二つ」であるのに対し、引用発明では「一つ」である点。
（３）相違点についての検討・判断
（相違点１について）
　刊行物２には前記（１）のイで記載したように、ドラム式図柄表示装置２０に設けられる各図柄表示ユニット２１において、ベース板金２７に駆動モータ３１が取り付けられることで、ベース板金２７が所謂ヒートシンクとして機能し、該駆動モータ３１の過熱を防止することができる旨記載されている。
　そして、引用発明においてリールケースに開口が形成されていることから過熱に関する課題も内在しているといえるから、引用発明の「リールモータ４５Ｌ，４５Ｃ，４５Ｒ」にこの刊行物２に記載された技術事項を適用して相違点１に係る補正発明の構成にすることは、当業者が容易になし得るものである。
（相違点２について）
　引用発明のリールケース９１は、背面側に、各リール２５Ｌ，２５Ｃ，２５Ｒに配列された図柄を視認可能とする程度に大きな開口部が一つの前記リールに対して一つずつそれぞれ形成されているだけでなく、上面側に、リール２５Ｒに配列された図柄を視認可能とする程度に大きな二つの開口部が形成され、さらに、側面側に、リール２５Ｒを視認可能とする複数の開口部が形成されている。
　そして、リールケースの各面において、リールを視認可能とする開口部をどのように形成するかは、リールケース９１の強度、リールの視認性、通気性、軽量化、組み付け易さ等を勘案しながら当業者が適宜選択し得る設計的事項というべきであり、引用発明のリールケース９１の上面側のように開口部を一つのリール２５Ｒに対して二つとする構成を、背面側の各リール２５Ｌ，２５Ｃ，２５Ｒに対応した「一つ」の開口部に適用して、相違点２に係る補正発明の構成にすることは当業者が容易になし得るものである。
　請求人は、補正発明が、図６等に示すように、通気孔７２１ａと通気孔７２１ｄ、通気孔７２１ｂと通気孔７２１ｅ、通気孔７２１ｃと通気孔７２１ｆとの間に、十分な太さのリールフレーム７２０があるため、リールケースとしての十分な強度も保つことができる旨主張するが、十分な太さのリールフレームについては請求項１には特定されておらず、請求項１の記載に基づかない主張である。また、請求人の主張を、補正発明が、開口部を一つの前記リールに対して二つずつそれぞれ形成することで、二つの開口部の間にリールフレームが形成されるため、リールケースとしての十分な強度を保つことができる旨の主張と善解しても、例えば、引用発明のリールケース９１の上面側や側面側において二つの開口部の間に形成されるリールフレームがリールケースとしての十分な強度を保つことに資することは当業者に明らかであり、請求人が主張する作用効果は、当業者が予測し得る範囲内のものであり、格別顕著なものとはいえない。
　
（４）小括
　以上のとおり、補正発明は、引用発明及び刊行物２に記載された技術事項に基づいて当業者が容易に発明をすることができたものであるから、特許法第２９条第２項の規定により、特許出願の際独立して特許を受けることができないものである。
　
４　まとめ
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明に対する判断
１　本願発明の認定
　平成２８年３月１４日付けの手続補正は、上記のとおり却下されることとなったので、本願の請求項１に係る発明は、平成２７年４月２日付けの手続補正により補正された特許請求の範囲の請求項１に記載された事項により特定されるものであると認められ、その請求項１に係る発明（以下、「本願発明」という。）は、次のとおりのものである。
　
「所定の開始条件の成立により、内部抽選を行うとともに図柄の変動表示を開始させ、所定の停止条件の成立により、前記図柄の変動の停止制御を行って所定の図柄の組み合わせが停止表示された場合に、遊技利益を付与する遊技機において、
　複数の前記図柄が描かれた円環状のリールと、
　前記リールを回転させる駆動装置と、
　前記リールおよび前記駆動装置を収納するリールケースと、
　を備え、
　前記リールケースは、前記リールの一方を表出させ、前記リールの他方を覆う壁面の前記リールと対向する位置に、前記リールに描かれた前記図柄を視認可能とする開口部が形成されていることを特徴とする遊技機。」
　
２　平成２８年８月２８日付け最後の拒絶理由の概要及び刊行物
（１）平成２８年８月２８日付け最後の拒絶理由の概要は以下のとおりである。
ア　本願の請求項１に係る発明は、その出願前に頒布された刊行物１に記載された発明であるから、特許法第２９条第１項第３号に該当し、特許を受けることができない。
イ　本願の請求項１に係る発明は、その出願前に頒布された刊行物１に記載された発明に基づいて、当業者が容易に発明をすることができたものであるから、特許法第２９条第２項の規定により特許を受けることができない。
　刊行物１：特開２００６−０６１２５４号公報
（２）刊行物１の記載事項は、前記第２の３の（１）のアに記載したとおりである。
　
３　判断
　本願発明は、補正発明における「一部が前記駆動装置の近傍に設けられた導体板」であって、その「導体板」が「複数の前記リールのそれぞれに対応して、前記リールの一方の側面側に設けられ」たものであるという「遊技機」としての限定を省き、「リールケース」に「形成されている」「前記リールに描かれた前記図柄を視認可能とする開口部」について、「それぞれ前記リールに描かれた前記図柄を視認可能とする程度に大きな」もので「一つの前記リールに対して二つずつそれぞれ形成されている」ものであるとの限定を省いたものである。
　そうすると、前記第２の３の（２）において検討したように、本願発明と引用発明に相違点はなく、一致するといえる。
　したがって、本願発明は、刊行物１に記載された発明である。
　また、仮に相違点があったとしても、本願発明は、刊行物１に記載された発明に基づいて、当業者が容易に発明をすることができたものである。
　
第４　むすび
　以上のとおり、本願発明は、刊行物１に記載された発明であるから、特許法第２９条第１項第３号に該当し特許を受けることができない。また、本願発明は、刊行物１に記載された発明に基づいて当業者が容易に発明をすることができたものであるから特許法第２９条第２項の規定により特許を受けることができない。
　したがって、本願は、拒絶すべきものである。
　よって、結論のとおり審決する。